(57)【特許請求の範囲】
【請求項１】
炊飯かまを収納するハウジングと、ハウジングの上部に設けられ、炊飯かまの上部を開閉する折曲げ可能な蓋とを備え、
蓋は、
ハウジングに開閉用ヒンジを介して取付けられ、横に延びる開閉用ヒンジピンの軸線まわりに揺動し、ハウジングを開閉可能に覆う外蓋と、
外蓋にハウジングの内方を臨んで着脱可能に取付けられ、炊飯かまの上部を開閉可能に覆う内蓋とを含み、
外蓋および内蓋は、外蓋用ヒンジおよび内蓋用ヒンジによってハウジングの内方に向ってそれぞれ折曲げ可能であり、外蓋用ヒンジピンおよび内蓋用ヒンジピンの軸線は、前記開閉用ヒンジピンの軸線に平行であり、
外蓋には、ハウジング内方に向けて突出したヒンジ取付片が設けられており、ヒンジ取付片の先端部には外蓋用ヒンジが設けられることを特徴とする炊飯器。
【請求項２】
内蓋は、内蓋のほぼ中心の位置で支持部材によって外蓋の内面に取付けられており、
外蓋用ヒンジおよび内蓋用ヒンジは支持部材に関して開閉用ヒンジと同じ側または反対側に配置されることを特徴とする請求項１記載の炊飯器。
【請求項３】
内蓋用ヒンジには、内蓋が折り曲げられたとき、内蓋の広がる方向にばね力を発揮するばね部材が設けられることを特徴とする請求項１または２記載の炊飯器。
【発明の詳細な説明】
【０００１】
【発明の属する技術分野】
本発明は炊飯器、特に蓋の構成に特徴のある炊飯器に関する。
【０００２】
【従来の技術】
従来から、米飯を炊飯して保温する炊飯器は、保温中ラックなどに収納されることが多い。ラック内はスペースが狭く、炊飯器の上方に充分な距離がないので、炊飯器の蓋を開けるとき、蓋がつかえて蓋を充分に開くことが困難である。したがって、ご飯をよそうとき炊飯器をわざわざラックから引出す必要があり、面倒で手間を要するという問題がある。
【０００３】
【発明が解決しようとする課題】
本発明の目的は、前記問題を解決し、狭いラック内に収納したままで、蓋の開閉が可能な炊飯器を提供することである。
【０００４】
【課題を解決するための手段】
本発明は、炊飯かまを収納するハウジングと、ハウジングの上部に設けられ、炊飯かまの上部を開閉する折曲げ可能な蓋とを備え、
蓋は、
ハウジングに開閉用ヒンジを介して取付けられ、横に延びる開閉用ヒンジピンの軸線まわりに揺動し、ハウジングを開閉可能に覆う外蓋と、
外蓋にハウジングの内方を臨んで着脱可能に取付けられ、炊飯かまの上部を開閉可能に覆う内蓋とを含み、
外蓋および内蓋は、外蓋用ヒンジおよび内蓋用ヒンジによってハウジングの内方に向ってそれぞれ折曲げ可能であり、外蓋用ヒンジピンおよび内蓋用ヒンジピンの軸線は、前記開閉用ヒンジピンの軸線に平行であり、
外蓋には、ハウジング内方に向けて突出したヒンジ取付片が設けられており、ヒンジ取付片の先端部には外蓋用ヒンジが設けられることを特徴とする炊飯器である。
【０００５】
本発明に従えば、蓋が折曲げ可能であるので、蓋を開くとき、蓋の高さを低くすることができ、上方に充分な距離がないラック内であっても蓋を容易に開閉することができる。したがって、収納スペースの省スペース化を図ることができる。また、外蓋用ヒンジピンおよび内蓋用ヒンジピンの軸線が開閉用ヒンジピンの軸線と平行であるので、蓋を開く動作と連動して外蓋および内蓋をハウジングの内方に向って折り曲げることができる。
さらに、外蓋に設けられたヒンジ取付片がハウジング内方に向けて突出しており、ヒンジ取付片の先端部には外蓋用ヒンジが設けられるので、蓋を折曲げるとき外蓋の内方に内蓋が存在していても、内蓋を包込むことができ、外蓋の折曲げ角度を小さくすることができる。
【０００８】
また本発明で内蓋は、内蓋のほぼ中心の位置で支持部材によって外蓋の内面に取付けられており、
外蓋用ヒンジおよび内蓋用ヒンジは支持部材に関して開閉用ヒンジと同じ側または反対側に配置されることを特徴とする。
【０００９】
本発明に従えば、外蓋用および内蓋用ヒンジが、たとえば支持部材に関して開閉用ヒンジと反対側に設けられるので、折曲げられる部分が短くなり、外蓋および内蓋を容易に折曲げることができる。また、外蓋用および内蓋用ヒンジが、たとえば支持部材に関して開閉用ヒンジと同じ側に設けられるので、折曲げられる位置が開閉用ヒンジに接近する。したがって、蓋を開くときの蓋の高さを低くすることができ、蓋の開閉に必要なスペースを小さくすることができる。
【００１０】
また本発明は、内蓋用ヒンジには、内蓋が折り曲げられたとき、内蓋の広がる方向にばね力を発揮するばね部材が設けられることを特徴とする。
【００１１】
本発明に従えば、内蓋が折曲げられたとき内蓋の広がる方向にばね力が作用するので、蓋を閉じるとき、内蓋を容易に広げることができ、炊飯かまの上部を内蓋で確実に覆うことができる。
【００１４】
【発明の実施の形態】
図１は、本発明の実施の一形態である炊飯器１の構成を簡略化して示す断面図であり、図２は図１に示す炊飯器１をラックに収納して蓋を開閉した状態を示す断面図である。炊飯器１は、米飯を炊飯して保温する厨房用品である。保温中、炊飯器１は、図２（１）に示すようにラック３内に収納される。ラック３内には、他の厨房用品、たとえば電子レンジ５なども収納されている。
【００１５】
炊飯器１は、炊飯かま７を収納するハウジング８と、ハウジング８の上部に設けられ、炊飯かま７の上部を開閉する折曲げ可能な蓋９とを備える。炊飯かま７は、アルミニウムなどの金属から成り、炊飯かま７内には米飯が収納される。ハウジング８内の炊飯かま７の下方には、炊飯バーナ１０と電気ヒータ１１とが配置される。炊飯バーナ１０は、たとえばブンゼンバーナなどのガスバーナであり、米飯を炊飯するために炊飯かま７を加熱する。電気ヒータ１１は発熱抵抗線によって実現され、米飯を保温するために炊飯かま７を加熱する。炊飯バーナ１０は、電気ヒータまたは誘導加熱コイルなどであってもよい。
【００１６】
ハウジング８は下枠１３と外枠１４とを含む。ハウジング８内には円筒状の内胴１６が固定される。内胴１６内には、炊飯かま７が上方に取出すことができるように着脱可能に設けられる。外枠１４および内胴１６の上部には、内胴１６の外周面と外枠１４の内周面との間の空間を覆う上枠１７が設けられる。上枠１７は、炊飯かま７を支持する。上枠１７の上面には、つゆ受け枠１８および入力手段１９が設けられる。
【００１７】
入力手段１９は、押釦などによって実現され、炊飯器１の炊飯操作を行う。下枠１３には、炊飯バーナ１０の燃焼用空気を導入する空気導入口２０が形成され、内胴１６および外枠１４の上部には、炊飯バーナ１０からの燃焼排ガスを排出する排気口２１，２２がそれぞれ形成されている。空気導入口２０の近傍には、空気導入口２０を開閉するシャッタ板２３が設けられている。下枠１３には脚２４が固定される。これによって、炊飯器１の下部に隙間が形成され、空気導入口２０への外気からの空気の導入が円滑に行われる。
【００１８】
蓋９は、折曲げ可能な外蓋２６と、折曲げ可能な内蓋２７とを含む。外蓋２６および内蓋２７は、ハウジング８の内方に向って折曲げ可能に後述のように構成される。外蓋２６は、ハウジング８の上部に開閉用ヒンジ２８を介して取付けられる。さらに外蓋２６は、開閉用ヒンジピン２９の横に延びる軸線まわりに揺動し、ハウジング８の上部を開閉可能に覆う。開閉用ヒンジピン２９の横に延びる軸線は、水平であってもよく、水平面に対して少し傾いていてもよい。
【００１９】
外蓋２６は、蓋９が閉じた状態でロック片３０によってハウジング８にロックされる。ロック片３０は、図示しないばね部材によって弾発的に外蓋２６に押付けられ、外蓋２６に形成されたロック突起３１と係合して外蓋２５をロックする。内蓋２７は、外蓋２６の内面に支持部材３２を介して着脱自在に取付けられ、炊飯かま７の上部を開閉可能に覆う。支持部材３２は、内蓋２７のほぼ中心を支持する。内蓋２７が着脱可能であるので、内蓋２７を外して洗浄することができる。蓋９の構成についてはさらに後述する。
【００２０】
空気導入口２０からの燃焼用空気は、矢符３３で示されるように内胴１６内に侵入し、炊飯バーナ１０におけるガス燃料の燃焼のために用いられる。炊飯バーナ１０の燃焼排ガスは、主として排ガス経路３４を経て排気口２１に導かれ、さらに排気口２２を経て矢符３５で示されるように大気放散される。炊飯かま７からの蒸気は、内蓋２７と炊飯かま７との接触面から噴出し、外蓋２６に形成された蒸気口３６から大気放散される。
【００２１】
図３は図１に示す蓋９の構成を簡略化して示す断面図であり、図４は図３に示す蓋９の折曲げた状態を示す断面図である。蓋９の外蓋２６は、第１外蓋部材３８と第２外蓋部材３９と、外蓋用ヒンジ４６とを含む。第１外蓋部材３８は、開閉用ヒンジ２８に連結され、開閉用ヒンジ２８から炊飯かま７側に延びる部材であり、その長さは開閉用ヒンジ２８から炊飯かま７の中心までの距離よりも長い。第１外蓋部材３８の一端部（図３の左側）は開閉用ヒンジ２８の一方のヒンジ片を形成する。第１外蓋部材３８の他端部寄りの内面には、保持部材４３が設けられている。保持部材４３は、炊飯かま７の中心を臨む位置に設けられ、支持部材３２を保持する。第１外蓋部材３８の他端部には、ハウジング８の内方に向けて突出した第１ヒンジ取付片４４が設けられている。
【００２２】
第２外蓋部材３９は、第１外蓋部材３８の他端部に連なって延びる部材であり、その長さは第１外蓋部材３８よりも短い。第２外蓋部材３９の一端部には、第１ヒンジ取付片４４と対向して第２ヒンジ取付片４５が設けられている。さらに、第２外蓋部材３９の外面には開閉用取っ手４１が形成されており、第２外蓋部材３９の他端部（図３の右側）の外面にはロック突起３１が形成されている。
【００２３】
外蓋用ヒンジ４６は、第１および第２ヒンジ取付片４４，４５の先端部に設けられ、第１および第２外蓋部材３８，３９を折曲げ可能に連結する。外蓋用ヒンジ４６は、外蓋用ヒンジピン４７を備える。第１および第２外蓋部材３８，３９は、外蓋用ヒンジピン４７の軸線まわりにハウジング８の内方に向けて折曲げられる。前述のように第１外蓋部材３８の長さは、開閉用ヒンジ２８から炊飯かま７の中心までの距離よりも長いので、外蓋用ヒンジ４６は支持部材３２に関して開閉用ヒンジ２８と反対側に存在する。
【００２４】
第１および第２ヒンジ取付片４４，４５は、蓋９を閉じた状態では図３に示すように当接しており、蓋９を折曲げた状態では図４に示すように離間している。第１および第２ヒンジ取付片４４，４５の突出長さは、同一であり、蓋９の頂部から底面までの距離Ｌ１に等しい。したがって、蓋９が閉じた状態では、外蓋２６の底面と第１および第２ヒンジ取付片４４，４５の先端部、すなわち外蓋用ヒンジ４６とは同一平面内に存在する。
【００２５】
蓋９の内蓋２７は、略円盤状の形状を有し、第１内蓋部材４８と、第２内蓋部材４９と、内蓋用ヒンジ５３とを含む。第１および第２内蓋部材４８、４９はアルミニウムなどの金属から成り、その周縁部はゴムパッキン５２によって被覆されている。第１内蓋部材４８は、第１外蓋部材３８の内側に配置され、内蓋２７のほぼ中心の位置で支持部材３２によって外蓋２６に支持される。内蓋２７のほぼ中心の位置は、第１内蓋部材４８の他端部（図３の右側）寄りに存在する。第１内蓋部材４８の他端部には、ハウジング８の内方に向けて突出した第３ヒンジ取付片５０が設けられている。
【００２６】
第２内蓋部材４９は、第２外蓋部材３９の内側に配置され、第１内蓋部材４８に連なる。第２内蓋部材４９の一端部には、第３ヒンジ取付片５０と対向して第４ヒンジ取付片５１が設けられている。内蓋用ヒンジ５３は、第３および第４ヒンジ取付片５０，５１の先端部に設けられ、第１および第２内蓋部材４８，４９を折曲げ可能に連結する。内蓋用ヒンジ５３は、内蓋用ヒンジピン５４を備える。第１および第２内蓋部材４８，４９は、内蓋用ヒンジピン５４の軸線まわりにハウジング８の内方に向って折曲げられる。前述のように支持部材３２は、第１内蓋部材４８に取付けられるので、内蓋用ヒンジ５３は支持部材３２に関して外蓋用ヒンジ４６と同様に開閉用ヒンジピン２８と反対側に存在する。さらに、内蓋用ヒンジ５３と外蓋用ヒンジ４６との位置はずれており、内蓋用ヒンジ５３は支持部材３２と外蓋用ヒンジ４６との間に存在する。
【００２７】
第３および第４ヒンジ取付片５０，５１は、蓋９を閉じた状態では図３に示すように当接しており、蓋９を折曲げた状態では図４に示すように離間している。第３および第４ヒンジ取付片５０，５１の突出長さは同一であり、蓋９が閉じた状態では内蓋２７の底面と内蓋用ヒンジ５３とは外蓋２６の場合と同様に同一平面内に存在する。
【００２８】
前記開閉用ヒンジピン２９の軸線は、ハウジング８の上下の軸線５６に垂直な仮想平面５７内に存在する。外蓋用および内蓋用ヒンジピン４７，５４は、仮想平面５７に平行な仮想平面５８，５９内にそれぞれ存在する。さらに、外蓋用および内蓋用ヒンジピン４７，５４の軸線は、開閉用ヒンジピン２９の軸線に垂直な仮想平面に対して垂直である。したがって、外蓋用ヒンジピン４７、内蓋用ヒンジピン５４および開閉用ヒンジピン２９の軸線は相互に平行である。ハウジング８の上下の軸線５６は鉛直であってもよく、鉛直面に対して少し傾いていてもよい。またハウジング８の軸線５６と炊飯かま７の軸線は同軸であってもよく、ずれていてもよい。これによって、外蓋２６および内蓋２７を蓋９を開く動作と連動して外蓋用および内蓋用ヒンジピン４７，５４の軸線まわりにハウジング８の内方側に折曲げることができる。
【００２９】
以上述べたように、内蓋２７には、ハウジング８の内方に突出した第３および第４ヒンジ取付片５０，５１が設けられているので、蓋９を閉じた状態で内蓋２７の底面と内蓋用ヒンジ５３とを同一平面内に存在させることができる。したがって、内蓋２７を図４に示すようにほぼ折重なる状態まで折曲げることができる。また外蓋２６には、ハウジング８の内方に突出した第１および第２ヒンジ取付片４４，４５が設けられているので、蓋９を閉じた状態で外蓋２６の底面と外蓋用ヒンジ４６とを同一平面内に存在させることができる。したがって、外蓋２６を図４に示すように内蓋２７に接触するまで折曲げることができる。すなわち、内蓋２７を包込むように折曲げることができ、折曲げ角度を小さくすることができる。
【００３０】
また前述のように、内蓋用ヒンジ５３が外蓋用ヒンジ４６と支持部材３２との間に存在するので、内蓋用および外蓋用ヒンジ５３，４６が支持部材３２から等距離に存在する場合に比べて折曲げ時に外蓋２６が内蓋２７に接触しにくくなり、外蓋２６の折曲げ角度をさらに小さくすることができる。また外蓋用および内蓋用ヒンジ４６，５３が支持部材３２に関して開閉用ヒンジ２８と反対側に存在するので、換言すれば第２外蓋部材３９および第２内蓋部材４９が第１外蓋部材３８および第１内蓋部材４８よりも短いので、折曲げられる部分が短くなり、外蓋２６および内蓋２７を容易に折曲げることができる。さらに、このように長さが異なるので、折曲げられた第２外蓋部材３９および第２内蓋部材４９の下端部は図４に示すように開閉用ヒンジ２８よりも上方に位置する。したがって、折曲げられた第２外蓋部材３９および第２内蓋部材４９の下端部とハウジング８との衝突を防止することができる。
【００３１】
図５は図３に示す外蓋用ヒンジ４６の構成を簡略化して示す分解斜視図であり、図６は図５の切断面線ＶＩ−ＶＩから見た断面図であり、図７は図５の切断面線ＶＩＩ−ＶＩＩから見た断面図である。外蓋用ヒンジ４６は、第１外蓋部材３８の第１ヒンジ取付片４４の先端部に一体的に形成される複数の第１ヒンジ片６３と、第２外蓋部材３９の第２ヒンジ片４５の先端部に一体的に形成される複数の第２ヒンジ片６４と、外蓋用ヒンジピン４７とを含んで構成される。
【００３２】
第１および第２ヒンジ片６３，６４は、外蓋用ヒンジピン４７の軸線に沿って間隔をあけてそれぞれ形成される。第１ヒンジ片６３は、図６に示すように第１外蓋部材３８の第１ヒンジ取付片４４の外方に突出しており、その断面形状は略Ｌ字状である。第２ヒンジ片６４は、図７に示すように第２外蓋部材３９の第２ヒンジ取付片４５の内方に突出しており、その断面形状は略半円状である。第１および第２ヒンジ片６３，６４には、外蓋用ヒンジピン４７を挿通するための挿通孔６５が形成されている。第１ヒンジ片６３と第２ヒンジ片６４とは交互に組合わされ、各挿通孔６５が一直線上に並ぶように配置される。各挿通孔６５には、外蓋用ヒンジピン４７が挿通される。第１ヒンジ片６３の個数は、たとえば２個であり、第２ヒンジ片６４の個数は、たとえば３個である。
【００３３】
図８は、図３に示す内蓋用ヒンジ５３の構成を簡略化して示す分解斜視図であり、図９は図８の切断面線ＩＸ−ＩＸから見た断面図であり、図１０は図８の切断面線Ｘ−Ｘから見た断面図である。内蓋用ヒンジ５３は、第１内蓋部材４８の第３ヒンジ取付片５０の先端部に一体的に形成される複数の第３ヒンジ片６６と、第２内蓋部材４９の第４ヒンジ取付片５１の先端部に一体的に形成される複数の第４ヒンジ片６７と、内蓋用ヒンジピン５４とばね部材６８とを含んで構成される。
【００３４】
第３および第４ヒンジ片６６，６７は、内蓋用ヒンジピン５４の軸線に沿って間隔をあけてそれぞれ形成される。第３ヒンジ片６６は、図９に示すように第１内蓋部材４８の第３ヒンジ取付片５０の外方に突出しており、その断面形状は略円形リング状である。第４ヒンジ片６７は、図１０に示すように第２内蓋部材４９の第４ヒンジ取付片５１の内方に突出しており、その断面形状は略円形リング状である。ばね部材６８は、たとえばピアノ線などから成るねじりコイルばねである。
【００３５】
第３および第４ヒンジ片６６，６７は交互に組合わされて内蓋用ヒンジピン５４の軸線に沿って一直線上に並ぶように配置される。さらに第３および第４ヒンジ片６６，６７の間にはねじりコイルばね６８が同様に一直線上に並ぶように配置される。第３ヒンジ片６６、第４ヒンジ片６７およびねじりコイルばね６８には、内蓋用ヒンジピン５４が挿通される。第３ヒンジ片６６の個数は、たとえば２個であり、第４ヒンジ片６７の個数は、たとえば３個である。内蓋２７が折曲げられるとき、ねじりコイルばね６８の腕６８ａは第３および第４ヒンジ取付片５０，５１の内面に当接し、内蓋２７に対して内蓋２７が広がる方向にばね力を発揮する。
【００３６】
これによって、蓋９を閉じるとき、内蓋２７を容易に所要角度まで広げることができる。所要角度は、上方からの押圧力によって内蓋２７をスムースに広げることのできる角度である。したがって、内蓋２７が広がらないうちに蓋９が閉じられるような不具合の発生を防止することができ、炊飯かま７の上部を内蓋２７で確実に覆うことができる。ねじりコイルばね６８のばね力は、内蓋２７を所要角度まで広げるのに必要なばね力に設定すればよく、内蓋２７を１８０°広げるのに必要なばね力に設定する必要はない。したがって、ねじりコイルばね６８を小形化することができるともに個数を減少することができる。ねじりコイルばね６８の個数は、たとえば２個である。
【００３７】
図１１は、図３に示す支持部材３２の構成を簡略化して示す縦断面図である。支持部材３２は、上下に延びる支持軸７０と保持リング７１とを含む。支持軸７０は、軸部７０ａと軸部７０ａの上端部に形成される上突出部７０ｂと、軸部７０ａの下端部に形成される下突出部７０ｃとを含む。軸部７０ａ、上突出部７０ｂおよび下突出部７０ｃの軸直角断面形状は円形である。上および下突出部７０ｂ，７０ｃの直径は、軸部７０ａの直径よりも大きくなるように形成されている。保持リング７１は、上下に延びる中心孔７２を有する略ドーナツ状の部材である。中心孔７２には、金属製の支持軸７０が嵌合される。中心孔７２の直径は、支持軸７０の軸部７０ａおよび下突出部７０ｃの直径よりも小さく形成されているけれども、シリコンゴムなどの弾発性を有する材料からなる保持リング７１の弾性変形によって嵌合することが可能である。
【００３８】
保持リング７１の外周面には、周方向に延びる無端状の嵌合溝７３が形成されている。嵌合溝７３には内蓋２７が嵌合される。支持軸７０の上端部に形成された上突出部７０ｂは、外蓋２６の内面に設けられた保持部材４３の嵌合溝４３ａに嵌合される。これによって、内蓋２７は外蓋２６の内面にハウジング８の内方を臨んで着脱可能に取付けられる。
【００３９】
図１２は、本発明の実施の他の形態の炊飯器７５の構成を簡略化して示す断面図であり、図１３は図１２に示す炊飯器７５の蓋９を開いた状態を示す断面図である。炊飯器７５は図１に示す実施の形態の炊飯器１と類似し、対応する部分には同一の参照符号を付し、説明を省略する。注目すべきは、炊飯器７５の外蓋用および内蓋用ヒンジ４６，５３が支持部材３２に関して開閉用ヒンジ２８と同じ側に設けられている点である。これによって、折曲げられる位置が開閉用ヒンジ２８に接近するので、図１３に示すように折曲げられた状態の蓋９の高さを炊飯器１の蓋９の高さよりも低くすることができる。したがって、炊飯器７５をラック３に収納するとき、蓋９の開閉に必要なスペースを炊飯器１よりも小さくすることができ、さらに省スペース化を図ることができる。炊飯器７５のその他の構成は、内蓋用ヒンジ５３が外蓋用ヒンジ４６と支持部材３２との間に設けられる点を含めて炊飯器１の構成と同一である。
【００４０】
以上述べたように、図１および図１２に示す実施の形態では、炊飯器１，７５の蓋９が外蓋２６と、外蓋２６に着脱可能に設けられる内蓋２７とから構成されているけれども、蓋の構成はこれに限定されるものではなく、外蓋と内蓋とが一体的に形成された蓋であってもよい。また図１２に示す実施の形態では、図１３に示すように折曲げられた蓋９の折曲げ角度はほぼ９０°になるように構成されているけれども、折曲げ角度が１８０°になるように、すなわち折曲げられた蓋がハウジング８の背後に倒れるように構成してもよい。また、蓋はヒンジによって折曲げられるように構成されているけれども、他の構成であってもよい。さらにばね部材はねじりコイルばねによって構成されているけれども、他の構成であってもよい。
【００４１】
【発明の効果】
以上のように、本発明によれば、蓋が折曲げ可能であるので、蓋の高さを低くすることができ、上方に充分な距離がないラック内であっても蓋を容易に開閉することができる。したがって、収納スペースの省スペース化を図ることができる。また本発明によれば、外蓋用ヒンジピンおよび内蓋用ヒンジピンの軸線が開閉用ヒンジピンの軸線と平行であるので、蓋を開く動作と連動して外蓋および内蓋を折曲げることができる。
さらに本発明によれば、外蓋に設けられたヒンジ取付片がハウジング内方に向けて突出しており、ヒンジ取付片の先端部には外蓋用ヒンジが設けられるので、蓋を折曲げるとき内蓋を包込むことができ、外蓋の折曲げ角度を小さくすることができる。
【００４３】
また本発明によれば、外蓋用および内蓋用ヒンジがたとえば支持部材に関して開閉用ヒンジと反対側に設けられるので、折曲げられる部分が短くなり、外蓋および内蓋を容易に折曲げることができる。また外蓋用および内蓋用ヒンジが、たとえば支持部材に関して開閉用ヒンジと同じ側に設けられるので折曲げられる位置が開閉用ヒンジに接近する。したがって蓋を開くときの蓋の高さを低くすることができ、蓋の開閉に必要なスペースを小さくすることができる。
【００４４】
また本発明によれば、内蓋が折曲げられたとき内蓋の広がる方向にばね力が作用するので蓋を閉じるとき、内蓋を容易に広げることができる。
【図面の簡単な説明】
【図１】本発明の実施の一形態である炊飯器１の構成を簡略化して示す断面図である。
【図２】図１に示す炊飯器１をラックに収納して蓋を開閉した状態を示す断面図である。
【図３】図１に示す蓋９の構成を簡略化して示す断面図である。
【図４】図３に示す蓋９の折曲げた状態を示す断面図である。
【図５】図３に示す外蓋用ヒンジ４６の構成を簡略化して示す分解斜視図である。
【図６】図５の切断面線ＶＩ−ＶＩから見た断面図である。
【図７】図５の切断面線ＶＩＩ−ＶＩＩから見た断面図である。
【図８】図３に示す内蓋用ヒンジ５３の構成を簡略化して示す分解斜視図である。
【図９】図８の切断面線ＩＸ−ＩＸから見た断面図である。
【図１０】図８の切断面線Ｘ−Ｘから見た断面図である。
【図１１】図３に示す支持部材３２の構成を簡略化して示す縦断面図である。
【図１２】本発明の実施の他の形態である炊飯器７５の構成を簡略化して示す断面図である。
【図１３】図１２に示す炊飯器７５の蓋９を開いた状態を示す断面図である。
【符号の説明】
１，７５  炊飯器
３  ラック
７  炊飯かま
８  ハウジング
９  蓋
１０  炊飯バーナ
２６  外蓋
２７  内蓋
２８  開閉用ヒンジ
２９  開閉用ヒンジピン
３０  ロック片
３１  ロック突起
３２  支持部材
３８  第１外蓋部材
３９  第２外蓋部材
４１  開閉用取っ手
４３  保持部材
４４  第１ヒンジ取付片
４５  第２ヒンジ取付片
４６  外蓋用ヒンジ
４７  外蓋用ヒンジピン
５３  内蓋用ヒンジ
５４  内蓋用ヒンジピン
【図１】
0004037584.tif 000002
【図２】
0004037584.tif 000003
【図３】
0004037584.tif 000004
【図４】
0004037584.tif 000005
【図５】
0004037584.tif 000006
【図６】
0004037584.tif 000007
【図７】
0004037584.tif 000008
【図８】
0004037584.tif 000009
【図９】
0004037584.tif 000010
【図１０】
0004037584.tif 000011
【図１１】
0004037584.tif 000012
【図１２】
0004037584.tif 000013
【図１３】
0004037584.tif 000014